(57)【特許請求の範囲】
【請求項１】
ケーブルと、前記ケーブルの先端部を覆うように樹脂成形により設けられる樹脂成形体と、を備え、
前記樹脂成形体は、前記ケーブルの先端部を覆うように設けられる本体部と、該本体部と一体成形され、前記樹脂成形体を取付対象物に固定するためのフランジ部と、を有し、
前記フランジ部には、該フランジ部を前記取付対象物にボルト固定する際にボルトを通すためのボルト穴が形成されている樹脂成形体付きケーブルの製造方法であって、
前記本体部を成形する本体部成形部と、前記フランジ部を成形するフランジ部成形部と、を備え、前記本体部成形部の前記ケーブルの外皮と対向する位置に樹脂を流し込むための第１の樹脂流入口及び前記本体部成形部よりも前記ボルト穴側の前記フランジ部成形部に樹脂を排出するための排出口を形成した金型に樹脂を流し込んで前記樹脂成形体を成形することで、
前記樹脂成形体を樹脂成形する際に、前記第１の樹脂流入口を介して前記本体部成形部の基端部の前記ケーブルの外皮と対向する位置から樹脂を流し込み、前記本体部成形部よりも前記ボルト穴側の前記フランジ部成形部から樹脂を排出するようにした
ことを特徴とする樹脂成形体付きケーブルの製造方法。
【請求項２】
前記排出口は、前記ボルト穴を介して前記本体部成形部と対向する位置の前記フランジ部成形部に形成され、
前記樹脂成形体を樹脂成形する際に、前記ボルト穴を介して前記本体部成形部と対向する位置の前記フランジ部成形部から、樹脂を排出するようにした
請求項１に記載の樹脂成形体付きケーブルの製造方法。
【請求項３】
前記排出口の径が、前記フランジ部の厚さよりも小さい
請求項１または２に記載の樹脂成形体付きケーブルの製造方法。
【請求項４】
前記排出口の径が、１ｍｍ以下である
請求項１〜３いずれかに記載の樹脂成形体付きケーブルの製造方法。
【請求項５】
前記排出口は、前記フランジ部の厚さ方向の中央部に形成される
請求項１〜４いずれかに記載の樹脂成形体付きケーブルの製造方法。
【請求項６】
前記本体部成形部の前記ケーブルと反対側の端部に樹脂を流し込むための第２の樹脂流入口を形成し、
前記樹脂成形体を樹脂成形する際に、さらに、前記本体部成形部の前記ケーブルと反対側の端部から樹脂を流し込むようにした
請求項１〜５いずれかに記載の樹脂成形体付きケーブルの製造方法。
【請求項７】
前記樹脂成形体は、前記ケーブルの先端に設けられたセンサ部の周囲を覆うように形成されている
請求項１〜６いずれかに記載の樹脂成形体付きケーブルの製造方法。
【発明の詳細な説明】
【技術分野】
【０００１】
本発明は、樹脂成形体付きケーブルの製造方法に関するものである。
【背景技術】
【０００２】
ケーブルの先端部を覆うように樹脂成形（モールド成形）により樹脂成形体を設けた樹脂成形体付きケーブルが知られている。
【０００３】
樹脂成形体付きケーブルでは、ケーブルの先端部と、ケーブルの先端側に接続された部材（センサ部や端子等）とを一括して覆うように樹脂成形体を形成し、樹脂成形体とケーブルの外皮（ケーブル最外周に形成された絶縁体）とを溶着させて防水をとるように構成されている。
【０００４】
図４（ａ），（ｂ）に示すように、従来の樹脂成形体付きケーブル４１として、樹脂成形体４４が、ケーブル４２の先端部およびセンサ部４３を覆うように設けられる本体部４５と、本体部４５と一体成形され、樹脂成形体４４を取付対象物に固定するためのフランジ部４６と、を有したものが知られている。フランジ部４６には、フランジ部４６を取付対象物にボルト固定する際にボルトを通すためのボルト穴４７が形成されている。
【０００５】
図４（ｃ）に示すように、樹脂成形体４４は、金型４８にケーブル４２とセンサ部４３を配置し、樹脂流入口４９から樹脂を流し込み樹脂成形（モールド成形）することで形成される。
【０００６】
従来の樹脂成形体付きケーブルの製造方法では、樹脂成形体４４とケーブル４２の外皮４２ａとを溶着させるために、ケーブル４２の外皮４２ａの端末と対向する位置の金型４８に樹脂流入口４９を形成し、この樹脂流入口４９から高温の樹脂をケーブル４２の外皮４２ａに向けて流し込むことで、外皮４２ａを軟化させ樹脂成形体４４と外皮４２ａとを溶着し防水を確保している。
【０００７】
樹脂成形体４４にセンサ部４３を内蔵した樹脂成形体付きケーブル４１として、例えば、ＡＢＳセンサやトルクセンサ、インデックスセンサ等が知られている。
【０００８】
なお、この出願の発明に関連する先行技術文献情報としては、特許文献１，２がある。
【先行技術文献】
【特許文献】
【０００９】
【特許文献１】特開２０１３−１４２６００号公報
【特許文献２】特許第４４８７８５１号公報
【発明の概要】
【発明が解決しようとする課題】
【００１０】
しかしながら、従来の樹脂成形体付きケーブル４１では、本体部４５の基端部のケーブル４２の外皮４２ａと対向する位置から樹脂を流し込むために、図４（ｂ），（ｃ）に矢印で示すように、流し込んだ樹脂がフランジ部４６においてボルト穴４７を両側から回り込むように流れ、回り込んだ樹脂が再び合流した位置にウエルド（ウエルドライン）５０が形成されてしまう。ボルト穴４７の周囲にウエルド５０が存在すると、ボルトを締結する際にウエルド５０を起点として割れが発生するおそれがある。
【００１１】
そこで、本発明の目的は、上記課題を解決し、ボルト締結時に割れが生じ難い樹脂成形体付きケーブルの製造方法を提供することにある。
【課題を解決するための手段】
【００１２】
本発明は上記目的を達成するために創案されたものであり、ケーブルと、前記ケーブルの先端部を覆うように樹脂成形により設けられる樹脂成形体と、を備え、前記樹脂成形体は、前記ケーブルの先端部を覆うように設けられる本体部と、該本体部と一体成形され、前記樹脂成形体を取付対象物に固定するためのフランジ部と、を有し、前記フランジ部には、該フランジ部を前記取付対象物にボルト固定する際にボルトを通すためのボルト穴が形成されている樹脂成形体付きケーブルの製造方法であって、前記本体部を成形する本体部成形部と、前記フランジ部を成形するフランジ部成形部と、を備え、前記本体部成形部よりも前記ボルト穴側の前記フランジ部成形部に樹脂を排出するための排出口を形成した金型に樹脂を流し込んで前記樹脂成形体を成形することで、前記樹脂成形体を樹脂成形する際に、前記本体部成形部よりも前記ボルト穴側の前記フランジ部成形部から樹脂を排出するようにした樹脂成形体付きケーブルの製造方法である。
【００１３】
前記排出口は、前記ボルト穴を介して前記本体部成形部と対向する位置の前記フランジ部成形部に形成され、前記樹脂成形体を樹脂成形する際に、前記ボルト穴を介して前記本体部成形部と対向する位置の前記フランジ部成形部から、樹脂を排出するようにしてもよい。
【００１４】
前記排出口の径が、前記フランジ部の厚さよりも小さくてもよい。
【００１５】
前記排出口の径が、１ｍｍ以下であってもよい。
【００１６】
前記排出口は、前記フランジ部の厚さ方向の中央部に形成されてもよい。
【００１７】
前記本体部成形部の前記ケーブルの外皮と対向する位置に樹脂を流し込むための第１の樹脂流入口を形成し、前記樹脂成形体を樹脂成形する際に、前記本体部成形部の基端部の前記ケーブルの外皮と対向する位置から樹脂を流し込んでもよい。
【００１８】
前記本体部成形部の前記ケーブルと反対側の端部に樹脂を流し込むための第２の樹脂流入口を形成し、前記樹脂成形体を樹脂成形する際に、さらに、前記本体部成形部の前記ケーブルと反対側の端部から樹脂を流し込むようにしてもよい。
【００１９】
前記樹脂成形体は、前記ケーブルの先端に設けられたセンサ部の周囲を覆うように形成されていてもよい。
【発明の効果】
【００２０】
本発明によれば、ボルト締結時に割れが生じ難い樹脂成形体付きケーブルの製造方法を提供できる。
【図面の簡単な説明】
【００２１】
【図１】（ａ）は、本実施形態に係る樹脂成形体付きケーブルの側面図、（ｂ）はその上面図、（ｃ）は本実施形態に係る樹脂成形体付きケーブルの製造方法を説明する図である。
【図２】本発明の一変形例に係る樹脂成形体付きケーブルの製造方法を説明する図である。
【図３】本発明の一変形例に係る樹脂成形体付きケーブルの製造方法を説明する図である。
【図４】（ａ）は、従来の樹脂成形体付きケーブルの側面図、（ｂ）はその上面図、（ｃ）は従来の樹脂成形体付きケーブルの製造方法を説明する図である。
【発明を実施するための形態】
【００２２】
以下、本発明の実施形態を添付図面にしたがって説明する。
【００２３】
図１（ａ）は、本実施形態に係る樹脂成形体付きケーブルの側面図、図１（ｂ）はその上面図、図１（ｃ）は本実施形態に係る樹脂成形体付きケーブルの製造方法を説明する図である。
【００２４】
図１（ａ），（ｂ）に示すように、樹脂成形体付きケーブル１は、ケーブル２と、ケーブル２の先端部を覆うように樹脂成形により設けられる樹脂成形体３と、を備えている。
【００２５】
樹脂成形体３は、ケーブル２の外皮２ａの先端部を覆うように形成され、外皮２ａと樹脂成形体３とが溶着され防水が確保されている。ここでは、ケーブル２の先端にセンサ部４を設け、そのセンサ部４と、ケーブル２の先端部とを覆うように、樹脂成形体３が設けられている。
【００２６】
ケーブル２の外皮２ａは、ウレタンまたはＰＢＴ（ポリブチレンテレフタレート）からなる。樹脂成形体３としては、外皮２ａと溶着する材料を用いる必要があり、外皮２ａとしてウレタンを用いる場合はナイロン、外皮２ａとしてＰＢＴを用いる場合にはＰＢＴを用いるとよい。
【００２７】
樹脂成形体３は、ケーブル２の先端部とセンサ部４とを覆うように設けられる本体部５と、本体部５と一体成形され、樹脂成形体３を取付対象物（図示せず）に固定するためのフランジ部６と、を有している。
【００２８】
本体部５は、ケーブル２の外皮２ａの先端部からセンサ部４の先端までの全体を覆うように形成されている。なお、センサ部４の先端側の一部が本体部５から露出するように構成しても構わない。
【００２９】
フランジ部６は、本体部５の一側から延出されるように設けられている。フランジ部６はケーブル２の延出方向（センサ部４の中心軸に沿った方向）に対して垂直方向に延出されている。
【００３０】
フランジ部６には、フランジ部６を取付対象物にボルト固定する際にボルトを通すためのボルト穴７が形成されている。ボルト穴７には、ボルト穴７の内周面に沿うようにリング状の金属からなるカラー８が設けられている。カラー８は板状の金属を丸めて形成されるため、その軸方向（フランジ部６の厚さ方向）に沿ってスリット８ａが形成されている。
【００３１】
本実施形態では、本体部５の先端部（フランジ部６に対してケーブル２と反対側の部分）を、取付対象物に形成された穴に挿入するようになっており、本体部５の先端部には、本体部５と本体部５が挿入される穴の内壁との間で防水を確保するためのＯリング９が設けられている。
【００３２】
樹脂成形体付きケーブル１は、例えば、ＡＢＳセンサやトルクセンサ、インデックスセンサ等として用いられるものである。なお、樹脂成形体付きケーブル１の用途はこれに限定されるものではない。
【００３３】
次に、本実施形態に係る樹脂成形体付きケーブルの製造方法を説明する。
【００３４】
本実施形態に係る樹脂成形体付きケーブルの製造方法では、まず、ケーブル２の先端にセンサ部４を取り付けた後、ケーブル２とセンサ部４を金型１０に配置する。なお、ケーブル２とセンサ部４の接続部等を覆うようにホルダを設け、樹脂の流れによる断線や位置ずれ等を抑制するようにしてもよい。また、金型１０に予め作製したカラー８を配置する。金型１０は、本体部５を成形する本体部成形部１０ａと、フランジ部６を成形するフランジ部成形部１０ｂと、を備えている。
【００３５】
本実施形態では、本体部成形部１０ａのケーブル２の外皮２ａと対向する位置に樹脂を流し込むための第１の樹脂流入口１１を形成し、樹脂成形体３を樹脂成形する際に、本体部成形部１０ａの基端部のケーブル２の外皮２ａと対向する位置から樹脂を流し込む。
【００３６】
ケーブル２の外皮２ａと対向する位置から樹脂を流し込むことで、外皮２ａを高温の樹脂に長時間晒して軟化させ、樹脂成形体３と外皮２ａとを溶着し防水を確保することが可能になる。樹脂の流れをよりスムーズとするために、樹脂を流入させる方向は、本体部５の先端側に向けて若干傾斜させた方向とすることが望ましい。
【００３７】
本実施形態に係る樹脂成形体付きケーブルの製造方法では、本体部成形部１０ａよりもボルト穴７側のフランジ部成形部１０ｂに樹脂を排出するための排出口１２を形成することで、樹脂成形体３を樹脂成形する際に、本体部成形部１０ａよりもボルト穴７側のフランジ部成形部１０ｂから樹脂を排出するようにしている。
【００３８】
本体部成形部１０ａよりもボルト穴７側のフランジ部成形部１０ｂから樹脂を排出することで、フランジ部成形部１０ｂのボルト穴７の周辺においても樹脂の流動が確保でき、ボルト穴７の周囲にウエルドが形成されることを抑制できる。
【００３９】
本実施形態では、排出口１２に連通された樹脂溜まり１３を形成し、樹脂成形時に排出口１２から樹脂溜まり１３に樹脂が排出されるようにした。
【００４０】
ボルト穴７の周囲にウエルドが形成されることをより確実に抑制するためには、より本体部５から離れた位置から樹脂を排出させることが好ましく、ボルト穴７を介して本体部成形部１０ａと対向する位置のフランジ部成形部１０ｂ（ボルト穴７の中心軸に対して本体部成形部１０ａと反対側のフランジ部成形部１０ｂ）から、樹脂を排出することがより好ましい。本実施形態では、ボルト穴７を介して本体部成形部１０ａと対向する位置のフランジ部成形部１０ａ（つまり、本体部５から最も離れた位置であり従来ウエルドが形成されていた位置）に排出口１２を形成し、樹脂成形体３を樹脂成形する際に、ボルト穴７を介して本体部成形部１０ａと対向する位置のフランジ部成形部１０ｂから、樹脂を排出するようにした。
【００４１】
また、排出口１２の周辺での樹脂の流れを複雑にすることで、排出口１２の周辺でウエルドが形成されることをより抑制できるため、排出口１２の径はできるだけ小さいことが望ましい。排出口１２の径は、少なくとも、フランジ部６の厚さよりも小さくすることが望ましく、具体的には１ｍｍ以下とすることが望ましい。また、フランジ部成形部１０ｂの表面側と裏面側で樹脂の流れが大きく異なってしまうことがないように、排出口１２は、フランジ部成形部１０ｂの厚さ方向の中央部に形成されることが望ましい。
【００４２】
金型１０は成形後の樹脂成形体３を取り出すために分割構造とされるが、その分割方向は、図１（ｃ）の紙面方向とすることが望ましい。これにより、金型１０の分割面（分割した金型１０同士を合わせる面）に溝を形成するのみで排出口１２と樹脂溜まり１３を形成することが可能になり、金型１０の製造が容易になる。
【００４３】
第１の樹脂流入口１１から流入させた樹脂は、図１（ｂ），（ｃ）に矢印で示すように、本体部成形部１０ａの基端部から先端部に向かって流れ、途中で分岐してフランジ部成形部１０ｂを通り、排出口１２を通って樹脂溜まり１３に排出される。
【００４４】
本実施形態では、排出口１２から樹脂溜まり１３に樹脂を排出するまで樹脂を流し込み続ける必要があるため、第１の樹脂流入口１１から流入させる樹脂量は、排出させる樹脂量を考慮して、実際に樹脂成形体３を構成する樹脂量よりも多くする必要がある。樹脂成形体３としてナイロンを用いる場合、成形条件としては、たとえば、成形温度を１５０〜３００℃とすればよい。
【００４５】
また、本実施形態では、本体部成形部１０ａ側からフランジ部成形部１０ｂの先端に向かって樹脂が流れるため、カラー８のスリット８ａが本体部５側に向いていると、樹脂を流し込む際にカラー８が拡がる方向に力がかかり、カラー８周辺の樹脂に歪みが残り成形不良となることも考えられる。そのため、スリット８ａが樹脂が流れ込む方向と対向しないようにカラー８を配置して、樹脂成形を行うことが望ましい。
【００４６】
第１の樹脂流入口１１から樹脂を流し込み冷却させた後、金型１０を取り外し、排出口１２や樹脂溜まり１３に残った部分の樹脂を削り取れば、本実施形態に係る樹脂成形体付きケーブル１が得られる。なお、図１（ｂ）では、一例として、本体部５よりもボルト穴７と反対側にウエルド１５が形成される場合を示しているが、ウエルド１５が形成される位置は、樹脂成形体３の形状等により異なる。
【００４７】
以上説明したように、本実施形態に係る樹脂成形体付きケーブルの製造方法では、本体部成形部１０ａよりもボルト穴７側のフランジ部成形部１０ｂに樹脂を排出するための排出口１２を形成した金型１０に樹脂を流し込んで樹脂成形体３を成形することで、樹脂成形体３を樹脂成形する際に、本体部成形部１０ａよりもボルト穴７側のフランジ部成形部１０ｂから樹脂を排出するようにしている。
【００４８】
これにより、ボルト穴７の周囲で樹脂の流動性を確保し、ボルト穴７の周囲にウエルドが発生することを抑制することが可能になる。つまり、本実施形態によれば、ボルト締結時に割れが生じ難い樹脂成形体付きケーブルの製造方法を提供できる。
【００４９】
なお、上記実施形態では１箇所から樹脂を流入させたが、樹脂を流入させる箇所は２箇所以上であってもよい。例えば、上記実施形態では、第１の樹脂流入口１１からの距離が離れた本体部５の先端部では、樹脂の温度低下により歪みが残り、変形等の不具合が発生する可能性がある。このような不具合は、特に、第１の樹脂流入口１１から本体部５の先端部までの距離（流し込んだ樹脂の流路）が長い場合や、樹脂成形体３の表面積が大きい場合など、金型１０による冷却効果が大きくなってしまう場合に発生し易い。
【００５０】
このような不具合が発生する場合には、図２に示すように、本体部成形部１０ａの先端部（ケーブル２と反対側の端部）に第２の樹脂流入口１４を形成し、２箇所の樹脂流入口１１，１４から樹脂を流し込んで樹脂成形体３を形成するようにしてもよい。
【００５１】
また、図３に示すように、フランジ部６が本体部５から両側に延出され、本体部５を挟んで２つのボルト穴７が形成されている場合、フランジ部成形部１０ｂの一方の端部のみから樹脂を排出する方法では、他方の端部にてボルト穴７の周囲にウエルドが形成されてしまうことになる。よって、このような場合は、フランジ部成形部１０ｂの両方の端部に排出口を形成し、両排出口から樹脂を排出するとよい。
【００５２】
さらに、本実施形態では樹脂成形体３とケーブル２の外皮２ａとを溶着して防水を確保する場合を説明したが、防水をとる必要がない場合、樹脂流入口はどの位置に形成しても構わない。
【００５３】
このように、本発明は上記実施形態に限定されるものではなく、本発明の趣旨を逸脱しない範囲で種々の変更を加え得ることは勿論である。
【符号の説明】
【００５４】
１  樹脂成形体付きケーブル
２  ケーブル
３  樹脂成形体
４  センサ部
５  本体部
６  フランジ部
７  ボルト穴
１０  金型
１０ａ  本体部成形部
１０ｂ  フランジ部成形部
１２  排出口
１３  樹脂溜まり
【図１】
0006340938.tif 000002
【図２】
0006340938.tif 000003
【図３】
0006340938.tif 000004
【図４】
0006340938.tif 000005